(57)【要約】【課題】ホームポジションを使用した制御の実効性を高めるため、ホームポジションの管理の手間を緩和すること課題とする。【解決手段】ユーザに対応するホームポジションを保持するデータベースと、入退出情報と前記ホームポジションから算出される前記ホームポジション単位での最終利用時刻を保持するデータベースと、前記最終利用時刻から削除対象ホームポジションを抽出する削除対象ホームポジション抽出手段を有する入退出管理システムに関する。【選択図】  図２
2014186605.tif 000002
【特許請求の範囲】
【請求項１】
ユーザに対応するホームポジションを保持するデータベースと、
入退出情報と前記ホームポジションとから算出される前記ホームポジション単位での最終利用時刻を保持するデータベースと、
前記最終利用時刻から削除対象ホームポジションを抽出する削除対象ホームポジション抽出手段を有する入退出管理システム
【請求項２】
前記削除対象ホームポジション抽出手段は、
前記最終利用時刻と抽出時刻との差をしきい値と比較することにより、前記削除対象ホームポジションを抽出することを特徴とする請求項１記載の入退出管理システム
【請求項３】
前記削除対象ホームポジション抽出手段が抽出した結果に基づいて、
前記ホームポジションを削除するホームポジション削除手段を有する請求項１または２いずれかに記載の入退出管理システム
【発明の詳細な説明】
【技術分野】
【０００１】
本発明は、入退出管理システムに関する。
【背景技術】
【０００２】
一般に、施設や建物では、特定の管理区域について部外者に対するセキュリティが必要な場合、入退出管理システムを用いて入退室を厳重に管理するものとなっている。入退出管理システムは、特定の部屋の出入口にカードリーダとゲートを設け、ユーザが所持するカードから読み取ったユーザ識別情報に基づき入退室の可否を判定してゲートを制御する。
【０００３】
一方、省エネルギーの要求が高まっており、入退出管理システムが、エネルギー管理に利用されるようになってきている。
特許文献１記載の発明は、入退出管理システムと機器の集中管理システムを連携させ、自動で機器を停止させることで省エネルギーを達成しようとするものである。
また、特許文献２記載の発明は、ＲＦＩＤを使った入退出システムと中央監視システムを連携させ、人間の存在状況に応じて室内設備を制御することで、省エネルギーを達成しようとするものである。
【先行技術文献】
【特許文献】
【０００４】
【特許文献１】特開２００３−８７９２号公報
【特許文献２】特開２００５−２１４４９５公報
【発明の概要】
【発明が解決しようとする課題】
【０００５】
入退出管理システムと機器の集中管理システムを連動して、制御しようとする場合、例えば、区画の一時的な利用であっても、制御が実行されてしまい、非効率なものとなる。そこで、区画の一時的な利用であるかを判断するために、ユーザごとに通常使用する区画（ホームポジション）を予め登録しておくことが考えられるが、その管理は煩雑となり、制御そのものの実効性に問題が生じる。
【０００６】
そこで、本発明では、ホームポジションを使用した制御の実効性を高めるため、ホームポジション管理の手間を緩和すること課題とする。
【課題を解決するための手段】
【０００７】
本発明は、ユーザに対応するホームポジションを保持するデータベースと、入退出情報と前記ホームポジションとから算出される前記ホームポジション単位での最終利用時刻を保持するデータベースと、前記最終利用時刻から削除対象ホームポジションを抽出する削除対象ホームポジション抽出手段を有する入退出管理システムに関する。
不要なホームポジション情報を抽出できるため、ホームポジション管理の手間を緩和することが可能となり、ホームポジションを使用した制御の実効性を高めることができる。
【０００８】
さらに、本発明は、前記削除対象ホームポジション抽出手段は、前記最終利用時刻と抽出時刻との差をしきい値と比較することにより、前記削除対象ホームポジションを抽出することを特徴とする入退出管理システムである。
不要なホームポジションを未使用期間の長さから、抽出することができる。
【０００９】
さらに、本発明は、前記削除対象ホームポジション抽出手段が抽出した結果に基づいて、前記ホームポジションを削除するホームポジション削除手段を有する入退出管理システムである。
不要なホームポジション情報を容易に削除することができるため、ホームポジションの管理の手間をさらに緩和することができる。
【発明の効果】
【００１０】
ユーザごとに通常使用する区画（ホームポジション）管理の煩雑さを軽減し、入退出管理システムと機器の集中管理システムを連動した省エネルギー制御の実効性を、高めることができる。
【図面の簡単な説明】
【００１１】
【図１】本発明にかかるシステムの構成図
【図２】本発明にかかる機能ブロック図
【図３】本発明にかかるフローチャート
【図４】本発明にかかるデータベース
【発明を実施するための形態】
【００１２】
本発明の実施の形態に係る入退出管理システム１００は、図１に示す構成をとる。各構成要素について説明をしていく。
【００１３】
ネットワーク１には、イーサネット（登録商標）ケーブル等が使用される。
ネットワーク１には、イーサネット（登録商標）等の通信インターフェイスを備え付けた入退出管理装置１０、ゲートコントーラ１１の各機器が接続され、ＴＣＰ／ＩＰやＵＤＰの標準プロトコルを使用することにより、各接続機器が相互にデータ通信することができる。
【００１４】
入退出管理装置１０は、パーソナルコンピュータ等で構成され、キーボード、マウス、モニター等により操作・表示をおこなう。また、パーソナルコンピュータのＣＰＵ、メモリは、データ処理・表示等に使用され、ＨＤＤは履歴データの保存等に使用される。
また、入退出管理装置１０は、上述したようにネットワーク１に接続されるため、ゲートコントローラ１１と通信可能である。
入退出管理装置１０は、各ルームにセキュリティ目的で設置されたカードリーダ１２の情報を収集することにより、各ルームの現在及び過去の状況を管理することができる。
【００１５】
ゲートコントローラ１１は、ＣＰＵ、メモリ、通信インターフェイスで構成される。
ゲートコントローラ１１では、カードリーダ１２やゲート１３と専用ネットワークに接続され、また、カードリーダ１２が読み取ったユーザの情報等を入退出管理装置１０に中継する。
【００１６】
カードリーダ１２は、ユーザのルーム入退出の際に、ユーザ認証をおこなうために使用される。すなわち、ルームＡに入室する際に、ユーザはカードをカードリーダ１２にかざし、カードリーダ１２が読み取ったデータをゲートコントローラ１１が処理し、入出を許可する場合には、ゲート１３を開錠する。
【００１７】
本発明の実施の形態に係る機能ブロックは、図２に示す構成をとる。
ユーザ別ホームポジションデータ入力部１５は、ユーザ別ホームポジションデータベース３１のデータの作成、変更、削除をおこなう。
ユーザ別ホームポジションデータベース３１は、図４（Ａ）で示すように、項目：ユーザ及び項目：ホームポジションを有する。ここで、項目：ホームポジションは、単数でも複数でもよい。図４（Ａ）では、ホームポジションが、１ユーザあたり最大４としている。
【００１８】
ユーザ別ホームポジションデータ入力部１５で作成、変更、削除がおこなわれた場合、それと同時にユーザ別ホームポジション別最終利用時刻データベース３２のレコード作成、削除がおこなわれる。
図４（Ｂ）示すように、ユーザ別ホームポジション別最終利用時刻データベース３２は、項目:ユーザ、項目：ホームポジション、項目：最終利用時刻を有する。
つまり、ユーザ別ホームポジション別最終利用時刻データベース３２は、ユーザ別ホームポジションデータベース３１で定義されているユーザとホームポジションの組み合わせすべてのレコードを記憶する必要がある。
よって、ユーザ別ホームポジションデータ入力部１５における作成、変更、削除の作業により、ユーザとホームポジションの組み合わせが変更となるたびに、ユーザ別ホームポジション別最終利用時刻データベース３２のレコードの作成、削除がおこなわれることになる。
【００１９】
例えば、ユーザ別ホームポジションデータ入力部１５で、ユーザ別ホームポジションデータベース３１に、ユーザＸのホームポジションとしてルームＤが追加された場合、ユーザ別ホームポジション別最終利用時刻データベース３２に、項目:ユーザをＸ、項目：ホームポジションをルームＤ、項目：最終利用時刻を現在時刻とするレコードが新規に作成される。
ユーザ別ホームポジションデータベース３１から、ユーザＸのホームポジションとしてルームＥが削除された場合、ユーザ別ホームポジション別最終利用時刻データベース３２から、項目:ユーザをＸ、項目：ホームポジションをルームＥとするレコードが削除される。
ユーザ別ホームポジションデータベース３１のユーザＸのホームポジションがルームＥからルームＤに変更された場合、ユーザ別ホームポジション別最終利用時刻データベース３２から、項目:ユーザをＸ、項目：ホームポジションをルームＥとするレコードが削除され、同時に項目:ユーザをＸ、項目：ホームポジションをルームＤ、項目：最終利用時刻を現在時刻とするレコードが新規に作成される。
【００２０】
ユーザ別ホームポジション別最終利用時刻データ作成部２１の処理について、図３のフローチャートで以下に説明する。
図２に示すカードリーダイベント検知部２０が検出する入室あり（Ｓ１０）または退出あり（Ｓ１５）のイベントを監視し、入室あり（Ｓ１０）と判断された場合、該当ポジション及び該当ユーザを読込み、利用時刻に現在時刻を設定する。（Ｓ２０）。
退出あり（Ｓ１５）と判断された場合、該当ポジション及び該当ユーザを読込み、利用時刻に現在時刻を設定する。（Ｓ２５）。
【００２１】
次に該当ユーザのホームポジションをユーザ別ホームポジションデータベース３１から読み込む（Ｓ３５）。
該当ユーザがＸであった場合、図４（Ａ）の例であればホームポジションとしてルームＡ、ルームＢ、ルームＣ、ルームＤが読み込まれる
【００２２】
次に該当ポジションがホームポジションであるかを判定する（Ｓ４０）。
すなわち、Ｓ３５で読込み済みのホームポジションのいずれかと該当ポジションが一致すれば、該当ポジションはホームポジションと判定される。
該当ユーザがＸ、該当ポジションがルームＡであった場合、図４（Ａ）の例であれば、Ｓ３５で、該当ユーザＸのホームポジションとして読み込まれているルームＡ、ルームＢ、ルームＣ、ルームＤのうち、ルームＡが該当ポジションと一致するため、ホームポジションであると判定される。
【００２３】
上述したように、ユーザ別ホームポジション別最終利用時刻データベース３２にはユーザとホームポジションの組み合わせすべてのレコードが用意されているため、該当ポジションがホームポジションである場合には、ユーザ別ホームポジション別最終利用時刻データベース３２に該当ユーザと該当ポジションの組み合わせのレコードが存在する。
該当レコードを検索の上、該当レコードの項目：最終利用時刻に前記の利用時刻を上書きする。（Ｓ４５）
例えば、該当ユーザがＸ、該当ポジションがルームＡ、入室ありの時間が２０１３年３月１日の１２：１５であった場合には、ユーザがＸ、ポジションがルームＡの最終利用時刻に２０１３年３月１日１２：１５が書き込まれる。
【００２４】
さて、図２の削除ホームポジション抽出部２２は、削除ホームポジションの対象となるユーザとホームポジションの組み合わせを抽出する。
具体的には、削除ホームポジション抽出部２２は、ユーザ別ホームポジション別の最終利用時刻が一定時間以上経過しているかを判定し、それに該当するユーザ及びホームポジション組み合わせを抽出する。
例えば、しきい値を３ヶ月とすれば、最終利用時刻が３ヶ月以上経過で、削除ホームポジションの対象であると判定される。そして、２０１３年３月２日１２：００に抽出した場合、ユーザ別ホームポジション別最終利用時刻データベースが図４（Ｂ）のようであれば、ユーザＸのホームポジションとしてルームＤが、また、ユーザＺのホームポジションとしてルームＨが、削除ホームポジションの対象として抽出されることになる。
【００２５】
ユーザ別ホームポジション削除部２３は、削除ホームポジション抽出部２２が抽出した削除ホームポジションをユーザ別ホームポジションデータベース３１から削除する。また、同時にユーザ別ホームポジション削除部２３は、ユーザ別ホームポジション別最終利用時刻データベースから削除対象のレコードを削除する。
削除ホームポジション抽出部２２が、ユーザＸのホームポジションとしてルームＤとユーザＺのホームポジションとしてルームＨを削除ホームポジションの対象として抽出した場合、ユーザ別ホームポジション削除部２３は、ユーザ別ホームポジションデータベース３１から、ユーザＸのホームポジションとしてルームＤとユーザＺのホームポジションとしてルームＨを削除し、また、同時にユーザ別ホームポジション削除部２３は、ユーザ別ホームポジション別最終利用時刻データベース３２から、ユーザをＸ、ホームポジションをルームＤとするレコードとユーザをＺ、ホームポジションをルームＨとするレコードを削除する。
【００２６】
ユーザ別ホームポジション削除部２３は、例えば、管理者の指示により、実行されるとしてもよく、また、ユーザ別ホームポジション削除部２３で抽出した削除対象ホームポジションを選択のうえ、削除してもよい。
【符号の説明】
【００２７】
１  ネットワーク
１０  入退出管理装置
１１  ゲートコントローラ
１２  カードリーダ
１３  ゲート
１００  入退出管理システム
【図１】
2014186605.tif 000003
【図２】
2014186605.tif 000004
【図３】
2014186605.tif 000005
【図４】
2014186605.tif 000006